(57)【要約】改良型ライターは、可燃性液体用の燃料貯留部（１０）と、前記燃料タンクからの液体の制御流を供給する手段（２０）と、その液体の制御流に点火する点火手段（１１，１７）と、燃料貯留部に対して所望の方向に炎を指向させるように作動する手段（１２，１３）とを具備する。
2006509175.tif 000002
【特許請求の範囲】
【請求項１】
可燃流体用のタンクまたは貯留部と、前記タンクまたは貯留部からの前記流体の制御流を指向させる手段と、前記流体の制御流に点火し炎を生じさせる点火手段と、ライターの全体に対して前記炎が指向する方向を相対的に転換する方向転換体とを具備する改良型ライター又は同様な装置。
【請求項２】
前記方向転換体は前記ライターの上部に取り付け可能なカバー手段と、前記カバー手段に枢着される炎方向転換手段とを具備することを特徴とする請求項１に記載の改良型ライター。
【請求項３】
前記カバー手段は、前記ライターの前記上部に着脱自在に取り付けられることを特徴とする請求項２に記載の改良型ライター。
【請求項４】
前記炎方向転換手段は中空管状部材から形成され、前記カバー手段に対して回動自在に枢支され、前記炎が前記ライターの頂面に対して実質的に法線状に指向する第１終端位置と、前記炎が前記ライターの側面に対して実質的に法線状に指向する第２終端位置からなるそれぞれの終端位置の間で選択的にかつ漸次移動可能に形成されていることを特徴とする請求項３に記載の改良型ライター。
【請求項５】
前記中空管状部材は外殻と同外殻と関連づけられる内筒とを具備し、前記外殻と前記内筒は共に所定の難燃性又は耐熱性を有する材料から形成されることを特徴とする請求項４に記載の改良型ライター。
【請求項６】
前記材料が金属であることを特徴とする請求項５に記載の改良型ライター。
【請求項７】
前記タンクまたは貯留部からの前記流体の制御流を指向させる手段は、前記タンク又は貯留部から前記点火手段へ伸延する管状部材から形成され、同管状部材の自由端にバーナーを具備することを特徴とする請求項７に記載の改良型ライター。
【請求項８】
前記管状部材は、実質的に前記炎方向転換手段の中央に配置されたノズル手段と連通状態に連結されていることを特徴とする請求項７に記載の改良型ライター。
【請求項９】
前記点火手段は圧電型で、前記炎指向手段と共に、前記バーナー手段のノズルから噴出する可燃性液体への圧電点火を可能にすることを特徴とする請求項８に記載の改良型ライター。
【請求項１０】
可燃性液体の容器又は貯留部に対して回動自在に連結又は枢支され、前記容器から流出し点火によって炎を生じる前記可燃性物質の噴出流の方向を転換可能としたことを特徴とする装置。
【請求項１１】
炎発生装置の炎発生部の上方に伸延可能に形成された細長体を具備し、前記細長体は、生じた炎を受ける開口と、前記炎を偏向させる偏向部と、前記偏向された炎を導出する出口開口とを具備することを特徴とする炎方向転換器。
【請求項１２】
前記細長体は、シガレット用ライター等の炎発生装置に着脱自在に取り付け可能な付属具を具備することを特徴とする請求項11に記載の炎方向転換器。
【請求項１３】
前記付属具が前記炎発生装置に一体的に形成されていることを特徴とする請求項12に記載の炎方向転換器。
【請求項１４】
前記付属具は摺動機構又はヒンジ機構によって取り付けられていることを特徴とする請求項13に記載の炎方向転換器。
【請求項１５】
前記細長体は、前記炎発生装置の前記炎発生部上に伸延可能な偏向帯状片であることを特徴とする請求項14に記載の炎方向転換器。
【請求項１６】
前記細長体は、連続する開口底部を有する逆U字状チャンネルから形成され、前記逆U字状チャンネルは、一端に炎を受ける開口を形成すると共に、その内面に前記チャンネルの他端に向けて炎を偏向する偏向部を形成し、前記偏向された炎を蝋燭の芯等に向けて指向可能とし、前記炎発生装置を保持する使用者を不注意による火傷から保護することができるようにしたことを特徴とする請求項16に記載の炎方向転換器。
【請求項１７】
前記付属具は、前記細長体に対し一定の角度で伸延し、前記法線方向垂直位置から離隔する方向に偏向可能としたことを特徴とする請求項16に記載の炎方向転換器。
【請求項１８】
前記付属具は、前記細長体のいずれか一方の側面から伸延するアームを具備し、同アーム部は、前記炎発生装置の周辺に可撓的に取り付けられるように形成されていることを特徴とする請求項17に記載の炎方向転換器。
【請求項１９】
前記アームは可撓性を有し、かつ、前記本体は、内側に面し、前記炎発生装置に設けた凹部と係合する突起を具備することを特徴とする請求項18に記載の炎方向転換器。
【請求項２０】
前記付属具は、好ましくはバネからなる付勢手段を具備し、前記バネは、前記アームを炎発生機装置の側面に強固に係合させると共に、前記バネを圧縮して前記アームを離隔するように移動し、前記炎発生装置から前記炎方向転換器を取り外し可能としたことを特徴とする請求項19に記載の炎方向転換器。
【請求項２１】
前記付属具は、前記炎発生装置の上部又は周辺に緊締するための緊締手段を具備することを特徴とする請求項20に記載の炎方向転換器。
【請求項２２】
前記付属具は、前記細長体を摺動して前記炎発生装置と係合させ、その炎発生部上に移動させる摺動自在なチャンネルを具備することを特徴とする請求項20に記載の炎方向転換器。
【請求項２３】
前記炎発生装置がシガレットライター、ガスライター等であることを特徴とする請求項20から23のいずれか１項に記載される炎方向転換。
【発明の詳細な説明】
【技術分野】
【０００１】
本発明は、一般的に、燃料貯留部や燃料容器から流出する点火された可燃性物質の流れを実際にさまざまな方向へ指向することができる手段に関する。更に詳しくは、本発明は、限定的ではないが、例えば、シガレット用ライターのような全ての公知の型の着火手段等と共に使用でき、このような着火手段を用いて生じた炎を少なくとも９０度変化させ、異なる使用条件を満たすことができるようにした手段に関する。
【０００２】
本発明は、また、可燃性流体用燃料貯留部より生じた炎の方向を転換するための、また炎発生装置と同炎発生装置に連結された燃料貯留部から使用者を保護するための炎方向転換器にも関する。特に、限定的にではないが、シガレット用ライター等によって、またはシガレットライター内に生じさせられた炎の方向を変更したり、さまざまに変化させるための炎方向転換器に関するが、炎方向転換器の用途は、このような好適な状況における使用に限定されるものではない。
【０００３】
本明細書全体を通して、本発明に関する特定の好ましい実施例、即ち、シガレット用ライターにおける使用又はシガレット用ライターとの併用について説明する。しかし、本発明は、そのような用途に限定されるものではないことを留意すべきである。実際、本発明にかかる構成は、補充可能如何を問わず供給される可燃物質を貯える貯留部と、そのような可燃物質の流れに制御しながら点火し、容器や貯留部の外部で炎を発生する手段を具備するいかなる器具や装置に取り付けて、又は併用して使用して好適に用いることができる。単なる例であるが、オーブンやバーベキュー等においてガス噴射流に点火するため一般的に使用されるガスライターに、本発明に係る方向転換器又は方向指示手段を設けてもよい。
【０００４】
空気圧とその密度に起因して、炎は、その発生原因如何にかかわらず、その発生元から上方に向けて、即ち、発生元に対して実質的に法線方向に拡散する。このような特性により、炎は実質的に炎又はその発火元の直上に配置される物に着火する目的において非常に有用である。しかし、炎のこのような自然な動きまたは特性のために、やむを得ず炎の（例えば）下方又は接近するのに困難な別の箇所に置かれた物に対して着火しようとすることは、特に困難であり、危険ですらあり得る。
【０００５】
かかる困難が生じるおそれがある特殊な用途の一つとして、蝋やその他の素材からなる本体の先端部から伸びる芯を具備する型の蝋燭への着火がある。このような蝋燭に下方より着火するのは不可能である、なぜなら蝋燭の蝋本体先端部より伸びる芯に着火するよりも先に、蝋本体を溶かしてしまうからである。ガスライター又はシガレット用ライター等のような従来の着火手段を使用する際、例えばライターの石と槽からの排出口といった形状で、可燃性の又は燃えやすい物質を含んだ槽を下方に備え、また最先端の、点火手段を具備し炎を生じさせる部分へ導く手段を備えた器具として、例えば蝋燭や焚き火用の下火等の着火に際してある程度の困難を伴い得る。かかるライターが着火されると、その最先端部分より炎を生じる。蝋燭（又は焚き火）に着火するためにはライター自体を垂直からは離れた角度、場合によっては水平になるほどの角度に方向転換する必要がある。しかしこの方法も依然として炎を上方へ拡散させ、ライター本体を持つ使用者の手にかなり近付けてしまう。場合によっては、蝋燭等に炎が達するようにライターがかなり下方へ向けた角度をつけた場合には、特に、使用者が炎によって火傷を負う可能性もある。
【０００６】
炎の下方に設置される物への点火が必要となるもうひとつの例として、パイプへの点火がある。パイプはパイプ椀状部と、同パイプ椀状部に接続される口金とを具備する。パイプ椀状部は最上部に孔を有しており、そこへ煙草が詰められた後に着火される。パイプに、例えば従来のようなシガレット用ライターから着火して炎を生じる場合もやはり、ライターはかなり水平に、又は場合によっては水平方向よりも更に下方に向けた位置になるため、使用者が手指等を火傷する可能性が増大する。パイプ用ライターに関するこのような問題が存在するが、使用者はパイプ椀状部を通して空気を吸引することが可能で、炎の下方の空気圧を低下し、炎を下方へ向けて吸引することで問題を部分的に最小限度に抑えている。しかし、全般的にライターを、角度をつけながら用いる必要があるので、使用者が手指を火傷する可能性に関する問題はいまだ明らかに存在する。
【発明の開示】
【発明が解決しようとする課題】
【０００７】
従って、本発明の目的は、その容器や貯留部から流出する点火された可燃物質の噴出流の方向を制御可能に変えることによって、従来の技術が有する問題点を解決することができる装置を提供することである。
【課題を解決するための手段】
【０００８】
本発明の一側面は、可燃物質の貯留部又は槽に対して回動可能に枢着される装置に係る装置を提供するものであり、同装置は、前記した貯留部より流出し点火によって炎を生じる可燃物質の流れの方向を転換することができる。
【０００９】
更に本発明の他の側面は、改良型ライター装置又は同様な装置を提供するものであり、同装置は、可燃性流体を蓄えたタンクや、上記タンクから出る制御された流体を指向する手段と、上記制御された流体に点火して炎を生じさせる点火手段と、上記の炎をライター全体に対してあらゆる方向へと指向させることができる手段とを具備する。
【００１０】
本発明の更に別の一側面は、炎方向転換器を提供するものであり、同炎方向転換器は、好ましくは、U字状のチャンネル部材からなる細長体を具備し、同細長体は炎発生装置の炎発生部上に伸延しており、細長体は炎を受けるための開口部と、炎を偏向させる偏向器と、偏向された炎を取り出すための外部開口部とを有している。
【００１１】
細長体は、その一形態として、例えばシガレット用ライター等のような炎発生装置に細長体を着脱自在に取り付けるための付属具を具備してもよい。他の形態においては、付属具は、例えばシガレット用ライター等のような炎発生装置に一体的に取り付けることもできる。かかる一体的な取付は摺動機構やヒンジ機構を介して行われる。その他の形態として、付属具を所定の位置に永久的に固定することもできる。
【００１２】
細長体は、（例えばシガレット用ライターのような）炎発生装置の炎発生部上に伸延可能な偏向帯状片から形成することもできる。細長体は、その一形態として、連続する開口底部を有する逆U字状チャンネルから形成され、前記逆U字状チャンネルは、一端に炎を受ける開口を形成すると共に、その内面に前記チャンネルの他端に向けて炎を偏向する偏向部を形成し、前記偏向された炎を蝋燭の芯等に向けて指向可能とし、前記炎発生装置を保持する使用者を不注意による火傷から保護することができるようにしている。
【００１３】
付属具は、細長体に対し一定の角度で伸延し、法線方向垂直位置から離隔する方向に偏向可能とすることもできる。細長体に対する付属具の角度は鈍角であることが望ましい。また、そのような角度は、偏向器が炎発生装置の通常の動作位置に対して約９０°の方向に伸延可能となるように設定するのが望ましい。
【００１４】
付属具は、細長体のいずれか一方の側面から伸延するアームを具備し、炎発生装置の周辺に可撓的に取り付けられるように形成することもできる。また、可撓性を有するアーム細長体は内側に面し、前記炎発生装置に設けた凹部と係合する突起を具備するようにしてもよい。さらに、付属具は、シガレットライターに設けられた突起に係合する凹部を具備してもよい。
【００１５】
別の形態において、付属具は、例えばバネのような付勢手段を利用してもよい。ある形態において、このバネはアームをシガレット用ライター等の側面と強固に係合させることができると共に、バネの圧縮を利用してアームを側面から離れるよう移動し、シガレット用ライター等から炎方向転換器を移動させる。かかる構成は、弾性アームと、シガレット用ライター等の周辺で弾性アームを移動し、自然弾力位置から離すレバー的手段と置換可能である。
【００１６】
その他の形態において、付属具は、シガレット用ライター等の一部の上又は周辺に緊締される緊締手段によって構成される。更なる変容例として、前記付属具がスライド式のチャンネルを具備し、細長体をスライドさせてシガレット用ライター等と係合するようにして、その炎発生部の真上の位置に移動するようになっている。
【好ましい実施形態の説明】
【００１７】
本発明の理解をより高め、かつ実施可能なものするため、以下、本発明に係る装置の好ましい実施例について詳細に説明する。以下に説明する実施例は非制限的なものであり、添付図面を参照しながら説明する。
【００１８】
図１〜図４を参照して説明すると、これらの図面はシガレット用ライターに使用又は適用した場合の本発明の特に好ましい実施形態を示す。同ライターは、その主要な構成要素として、適応する可燃液体用のタンク又は燃料貯留部１０と、手動により（全ての公知のの方法又は全ての公知の手段を用いることができる）タンク１０から流出する液体の流れに点火できる押しボタン式の点火作動手段１１と、タンク１０に適当な方法で、また所望の手段を用いて（好ましくは着脱自在に）取付可能なキャップ又はカバー体１２と、通常１３で示す所望の材料（好ましくは金属）からなる実質的に中空管状体の炎指向手段を具備している。本発明では、炎指向手段は、図１及び図２に示す第１終端位置と、図３及び図４に示す第２終端位置の間で、キャップ又はカバー体１２に対し枢軸周りに回動可能な状態でかつ漸進的に移動可能に選択的に制御することができる。キャップ又はカバー体１２の一面又は側面に切欠部分１２aを設け、前記管状体１３が図３及び図４に示す位置に移動してきた際に管状体１３を同位置に保持しかつそれ以上の移動を停止する手段として機能されることもできる。また、実際の動作において、切欠部分１２aはこのような管状部材の円滑な枢軸周りの回動を可能にする。図示の好ましい実施形態では、ライターは、手動操作可能な摺動炎調節部１４を具備し、この調節部１４はタンク１０から流出する液体の流れを制御して炎のサイズ（長さ）を変化させるために用いられる。
【００１９】
点火機構等のライター全体の内部構成、例えば、実際に使用されている点火機構、燃焼媒体や可燃性液体等の供給手段は発明の一部を構成するものではないことに留意すべきである。実際、本発明は、公知の、また実際に使用されている全ての形態のシガレット用ライターと協働して用いることができるものである。点火機構としては、例えば、特に好ましい実施態様では、今日一般に採用されている圧電型点火機構を用いることができる。また、タンク１０より流出する液体の噴流に点火するための火花を生じさせる火打ち石点火機構を用いることもできる。
【００２０】
特に図２及び図４を参照して説明すると、本発明に係る改良型ライターは所望の材料からなる管２０を具備する。管２０はタンク１０から伸延し、タンク１０からの液体の制御された流れを受け取り、その流れを点火手段まで導く。その後、ボタン１１を押し下げることによって作動する点火手段を用いて、この流れに点火することによって所望の炎を発生させる。管２０はその後、炎の偏向手段又は指向手段１３である中空の管状本体内の実質的に中央に配置された（適当な型の）ノズル又はバーナー２１に連通連結される。特に好ましい実施形態においては、管２０は所望の金属からなりかつ屈曲性を有しており、炎指向手段の全体が、図１及び図３（図２及び図４）に示すそれぞれの終端位置間で、選択的にまたは制御可能に動くことができるように、適宜曲がることができる。好ましくは、管２０は、透明で柔軟性のあるプラスティック素材２２からなる筒体内に収納可能に形成されている。図示された好ましい実施形態において、炎指向手段１３は、好ましくは所望の中空管状部材からなり、その内部に配置されかつ（任意の方法で）取り付けられた筒体１５を有する。筒体１５は管状部材１４を横断する方向に伸延する部分１６を具備し、その部分には、貫通状態に配置されるノズル又はバーナー２１を有している。好ましくは、筒体１５は所望のプラスティック素材で構成されるのがよい。
図示された特に好ましい実施形態においては、圧電点火手段が採用されている。金属のキャップ又はカバー体１２は圧電導体として作動し、結果的にノズル又はバーナー２１より流出する可燃性液体の流れに点火し、所望の炎を発生する。一旦炎が生じると、使用者は、図１と図３（又は図２と図４）に示すそれぞれの位置の間において、容易に炎指向手段１３を所望の角度位置に枢軸周りに回動させることができる。
【００２１】
圧電点火手段を作動するためには、点火ボタン１１に対し、下方向への力が加える必要があり、この下方向力によって圧電ユニット１７が押し付けられ火花を発する。同時に、タンク１０より流出したガス又は液体は、管２０を通ってノズル又はバーナー２１へと移送される。点火ボタン１１にかかる下方向力を緩めることにより、いままで押し付けられていた圧電ユニット１７はその元の位置へ復元する。
【００２２】
その配置は、屈曲性のある金属からなる管２０は、同管に接続されるノズル又はバーナー２１と共に、キャップ又はカバー体１２内を相対的に上方向に伸延し、炎指向手段１３の枢軸周りの回動動作を伴って、管２０自体が選択又は制御可能な状態で図２と図４にそれぞれ示す形態又は終端位置間で枢軸回りに回動可能に形成されている。キャップ１２内のかかる取り付けは、いかなる適した方法でなされてもよい。しかし、特に好ましい実施形態においては、筒体１５は、キャップ１２の内部壁に取り付けた突出軸、即ち、突起と係合する突出部（またはそのようなもの）と係合する対向状態に伸延する細長拡張部を具備している。そのような構成によって、必要な場合、ライターの使用者は、簡単な指の動きによって、管状の構成要素１３を（炎が生じている状態又は生じていない状態で）、図示するそれぞれの終端位置の間で所望の位置へ移動することができる。管状部材１３をこのように配置することによって、ノズル２１から噴出する炎は、ライター本体から離れた所望の角度で向けられ、煙草やシガー、蝋燭等の点火を容易にするために用いられる。
【００２３】
図面中の図５〜図８を参照して説明すると、公知の標準的な使い捨てシガレットと共に使用可能な炎方向転換器が示されている。かかるシガレット用ライターは、実質的に、プラスティック素材からなり、ライター用液体を内蔵する管状本体又は筒状本体から構成されている。管状本体の断面は、多くの場合、角部を曲面状とした寸法２〜３センチの楕円形又は長方形を有している。液体用本体の上部には、ライターの液体内に伸延する芯の先端を具備する金属構造体と、通常、火花を生じる材料に対して擦り付けられる粗面を有するローラを具備し、芯とライターの液体管から流出する液体に点火する点火用機構とが取り付けられている。
【００２４】
例えば、図５に示すような本発明の他の実施例に係る炎方向転換器は、実質的にU字状のチャンネル部３０をその主要部分として具備し、同チャンネル部は、（好ましくは）ダイバーター全体を（公知又は現在使用されている型の）シガレット用ライター等に取付可能とする付属具（アタッチメント）を一体的に設けている。
【００２５】
このような炎方向転換器用の付属具は、図示するように、間隔をあけて配置し実質的に平行な伸延する２つアーム部３１、３２を具備し、両アーム部３１，３２は肩部３３、３４を介して逆U字型のチャンネル部３０に接続されるように形成されている。アーム部３１、３２は、（図５に示す）逆U字型のチャンネル部３０に対して所定の角度をなして伸延しており、その角度はおよそ１６５度に設定され、かつ、アーム部３１、３２はチャンネル部３０の後方へ伸延している（図５参照）。対向するアーム部３１、３２のそれぞれの自由端の内面には突出部３５、３６が設けられており、これらの突出部３５、３６シガレット用ライターの本体内に又はその最上端の周辺に設けられた相互補完的な形状を有する凹部と係合するように形成されている。炎方向転換器の配置と構成要素は、アーム部３１、３２が適度の弾力性を有し、凹部と突出部３５、３６との係合を容易にして炎方向転換器の使い捨てシガレット用ライターへの取付が可能となるように設定する。更にフック状取付部３７が逆U字型チャンネル部３０の端部から伸延し、シガレット用ライターの並行する側面に形成した相互補完的な凹部又は開口部に着脱自在に受け止められ、より安定した装着を可能にしている。アーム部３１、３２をオフセット状態とすることにより、U字型のチャンネル部３０をシガレット用ライターの頂部の半分に位置させることができ、ローラの操作が可能となる。従って、ライターの連続的点火が可能になり、その点火によって生じる炎はＵ字型のチャンネル部３０自体に向けて伸延し、シガレット用ライターの保持者を保護することができる。
【００２６】
好ましくは、かかる器具、即ち、方向転換器は、主に、不燃性の素材、例えばバネ鋼からなる。また、ばね鋼に代えて、不燃性の素材、例えば、高融点プラスティック素材等を用いて方向転換器を形成することもできる。
【００２７】
上述した記載より、本発明は、販売時に点火手段又は着火手段と一体をなす装置に適用することができるのみでなく、使用者が、既存のライター取り付けることができるキット形式として販売可能な装置にも適用することができることは勿論である。
【００２８】
上記した記載から明らかなように、本発明は、例え、従来の技術の問題点を全て解決しない場合であっても、これらの問題点を実質的に低減できる改良型炎方向転換器を提供するものである。
【００２９】
例えば、本発明によって、使用者は、点火した炎に直接接触して火傷することなく、点火しようとする製品又は物体に接近することができる。本発明は、炎を、貯留部（ライター）全体に対してあらゆる方向に向けることができるので、特にパイプによる喫煙者に適している。
【００３０】
最後に、上記した説明は単に本発明の好ましい実施形態に言及するものであり、本発明の思想と範囲、即ち、以下のクレームによって画定される範囲から逸脱することなく変形、変更することはできることはいうまでもない。
【図面の簡単な説明】
【００３１】
【図１】炎の流れがライターから法線方向上方に指向する第１の動作モードにおける本発明に係るシガレット用ライターの側面斜視図である。
【図２】図１に示すライターの一部を前面から見た一部切欠断面図である。
【図３】図１のライターを上部から見た斜視図であり、噴流（なお、点火された際は炎を伴う）はライターより９０度離れた横方向を指向している。
【図４】図２と同様な図であり、ライターの１側面から見たものである；
【図５】本発明の他の実施例に係る炎方向転換器の側面図である。
【図６】図５に示す炎方向転換器を上方から見た平面図である。
【図７】図５に示す炎方向転換器の背面図である。
【図８】図５に示す炎方向転換器の前面図である。
【図１】
2006509175.tif 000003
【図２】
2006509175.tif 000004
【図３】
2006509175.tif 000005
【図４】
2006509175.tif 000006
【図７】
2006509175.tif 000007
【図８】
2006509175.tif 000008
【図５】
2006509175.tif 000009
【図６】
2006509175.tif 000010
【国際調査報告】
2006509175.tif 000011
2006509175.tif 000012